Podtech/llm-jp-corpus-v4-ja_patent huggingface dataset:
(57)【要約】      （修正有）【課題】簡単な構造で、安価な滑動免振装置を提供する。【解決手段】建物基礎と土台の間に取付した滑り支承部で滑らせて、地震の振幅する地震力を逃すことにより、建物本体の破壊を無くす滑動免振装置であって、前記滑り支承部は、半球面部と、該半球面部うえに連成された円筒状部とからなる鋼材と、該鋼材上に溶接され、建物土台に取り付けるための取り付け穴が形成された取付用鉄板を備え、前記取り付け穴から挿通した土台貫通ボルトにより土台に緊結される物であることを特徴とする滑動免振装置。【選択図】図２
0003124531.tif 000002
【実用新案登録請求の範囲】
【請求項１】
木造建築住宅・プレハブ式住宅の免震装置の内、滑動免振装置  を言う。
地震による震動振幅により、振り切られることによる破壊を、建物基礎と土台の間に滑動免振装置を取付けることにより、建物下に取り付けた滑り支障部で滑らせ、地震の振幅する地震力を建物に伝えず、逃し、建物本体の破壊を無くす装置である
【請求項２】
滑り支障は、半球状の鋼材を使う。
半球状の球面を下に、上部円筒状部に取り付け用鉄板（ベース板）を溶接し、建物土台への取り付け穴を開け、土台貫通ボルトにより土台に緊結し、取り付けたものである。
【請求項３】
滑り支障受けの基礎は、平滑な面を持つ８００角程度の縦・横形状を成し、縦横に地中梁を介し配置する。
地盤については、各地盤調査をした上で、適切な耐力地盤を確保し、施工することとする。
【考案の詳細な説明】
【技術分野】
【０００１】建物の免震（免振）
【背景技術】
【０００２】様々な免震があるが、高価と、設計手法の複雑さ、を解決。
【考案の開示】
【０００３】地震時において、初期微動が伝わると、接点部の小さい滑り支障部が、全て基礎より浮いた状態（切り離された）となり、その直後来る大きな震動（振幅）が建物に伝わることなく、地盤が勝手に動き、建物への影響がない。
短期入力時（台風・突風）に於いては、建物の縦横比率を勘案し、安定的なものについては、フレ止めを設置することなくし（自重で、引き抜き力をなしとしたとき）、また、その比率が不安定の時は、フレ止め（鉛板を厚鉄板で切断面を開け、上下で囲い込み、基礎と、土台の間に繋ぎ込み、地震時の横揺れ時のみ、セン断力で切れ、その滑動を妨げない。）を設置します。
伝統構法である柱建て方式の工法では、柱下部全体が、接点となり、接点面が大きい為、地震力の建物への入力を大きくし、様々な部位に小破壊を起こす。勿論大地震時には、滑動し、倒壊被害を防いでいます。このことを踏まえ、設置圧面を最小化することにより、より効果を上げることを目的としています。
【考案の効果】
【０００４】地震の振幅による、振り切られることによる破壊を無くす。
地震力を建物に直接伝えない。
上記を踏まえ、建物の構造の簡略化大事震時に於いて、倒壊被害を無くし、安価に、一般的に使用することが出来る。１００万円前後経費で施工可能。
【考案を実施するための最良の形態】
【０００５】簡易免振装置として、二階建て建物について、全てに適応させることが出来る認定制度を確立し、全国に普及させたい。
【実施例】
【０００６】現在、完成建物  ２棟
【産業上の利用可能性】
【０００７】全ての住宅産業に於いて、普及可能。
【図面の簡単な説明】
【０００８】
【図１】滑り支障の成形図
【図２】滑り支障と、土台と、基礎との関係図
【符号の説明】
【０００９】  １．半球からなる滑り支障。直径１２５ｍｍ、厚み５ｍｍ、内部補強板厚み６ｍｍ錆止め塗装＋グラファイト塗装２階塗り
２．内部補強板  厚み６ｍｍ板の補強、溶接止め
３．滑り支障ベース板  厚み９ｍｍ切断板
４．ボルト間通用穴    径１６ｍｍ
５．滑り支障ベース板と土台の緊結ボルト
６．土台  寸法Ｈ２８０＊Ｗ１５０
７．柱    菅柱  １２０＊１２０、通し柱１８０＊１８０、大黒柱２８０＊２８０
８．滑り支障受け基礎  ８００＊８００
９．地中張り  ４００＊６００
１０．ベース受け捨てコンクリート  厚み５０ｍｍ
１１．地業  割栗砕石転圧  厚み１２０
１２．基準地盤面
【図１】
0003124531.tif 000003
【図２】
0003124531.tif 000004
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
建物基礎と土台の間に取付した滑り支承部で滑らせて、地震の振幅する地震力を逃すことにより、建物本体の破壊を無くす滑動免振装置であって、前記滑り支承部は、半球面部と、該半球面部うえに連成された円筒状部とからなる鋼材と、該鋼材上に溶接され、建物土台に取り付けるための取り付け穴が形成された取付用鉄板を備え、前記取り付け穴から挿通した土台貫通ボルトにより土台に緊結される物である事を特徴とする滑動免振装置。
(57)【要約】      （修正有）【課題】一般家庭で従来雑誌等を縛る場合力が不足で完全に縛る事ができなかったが本機は少ないカビ紐を完全に縛ることが出来る結束機の提供。【解決手段】本機は回転する二枚羽に左右の紐の端を左右から入れ回転する事で紐を巻取り少ない力で縛る事ができる、又た回転する事で巻取が終れば本体中央から底部から二つにわれ二枚羽だけ残る【選択図】図１
0003124532.tif 000002
【実用新案登録請求の範囲】
【請求項１】
二枚の平行する羽を回転する事により紐を巻取り紐を張り物を縛る事ができる
【考案の詳細な説明】
【技術分野】
【０００１】本機は一般家庭などで少ない力で物を縛る事ができるものである
【背景技術】
【０００２】二枚の回転する羽の中に左右の紐の端から入れ回転する事で紐を巻取る
【考案の開示】
【考案が解決しようとす課題】
【０００３】従来一般家庭にて雑誌等を縛る場合手の力が不足で完全に縛る事ができず
【課題を解決するための手段】
【０００４】二枚の回転する羽の中に紐の端を入れ回転する事で紐を巻取るり紐を張る
【考案の効果】
【０００５】側面について居るハンドルを回転する事で二枚羽が回転するので紐が張り少ない力で縛る事ができる
【考案を実施するための最良の形態】
【０００６】縛る雑誌の下側に紐をおき雑誌上中心部に本機をおき回転する二枚羽の中に左右の紐の端を入れて二枚羽を回転する事により紐を巻取る
【実施例】
【０００７】以下添付図面に従って実施例を説明する  １は本機はプラスチツクス等適宣素材にて形成された結束機で  ２は回転する二枚羽  ３はハンドル  ４は二枚羽回転を止るサツクで紐の弛を止るものである【０００８】３は取外しハントルで回転は左から右１８０角度回転でハンドルの根本から折れるので又た左にもつてくる【０００９】４はサツクで回転二枚羽で紐を巻取り終了あと紐の弛を防止するため回転二枚羽にかぶせる
【図面の簡単な説明】
【００１０】
【図１】  本機結束機の側面図
【図２】  本機結束機の上面図
【図３】  本機結束機の分解図
【図４】  本機結束機の二枚羽サツク図
【符号の説明】
【００１１】  １      結束機木体
２      回転二枚羽
３      ハンドル
４      二枚羽サツク
【図１】
0003124532.tif 000003
【図２】
0003124532.tif 000004
【図３】
0003124532.tif 000005
【図４】
0003124532.tif 000006
【手続補正書】
【提出日】平成18年5月24日(2006.5.24)
【手続補正１】
【補正対象書類名】実用新案登録請求の範囲
【補正対象項目名】全文
【補正方法】変更
【補正の内容】
【実用新案登録請求の範囲】
【請求項１】
結束機本体は紐の上に縛る物を置きその縛る物の上の中央部に結束機本体を置き二枚羽の回転を保持する為の孔が結束機本体の側面左右中央に一個づつ持ち結束機本体底部中央より二分割する支持枠を持つ結束機本体（１）と、結束機本体側面の孔に二枚羽を入れて下側左右からくる紐を二枚羽の間の隙間に紐を通し回す事で紐が張り紐を巻き取る二枚羽（２）と、二枚羽の結合凹凸部にハンドルを入れて二枚羽を回す事でハンドルが長く縛る物の上側にあたりハンドルが凸部取付より折れるので１８０度回しをする事のハンドル（３）と、ハンドルで二枚羽を回し紐を巻き取り後二枚羽にサックを被せる事でサックの側面左右に切込みを付けてありこの切込が被せる事で二枚羽が巻取った紐の張っている所に入ることで二枚羽の回転を止めるサツク（４）と、サックを被せ二枚羽の回転を止めた後に紐と二枚羽とサックから外す為ハントル取付側結束機本体一部を外し二枚羽が回らないかぎり巻き取った紐が張り手で縛る事と同し状態になる事を特徴とする結束機。
(57)【要約】      （修正有）【課題】自分自身の心音、体音を聴くことができる心音、体音聴音機を提供する。【解決手段】体に巻きつけ固定することが出来るベルトに、集音器を設けることによって、集音器を手で押さえることなく、力を抜いた状態で自分自身の心音、体音を長時間聴くことが出来る。また複数の集音器をベルトに設けることで、心音と体音を同時に聴くことが出来る。【選択図】図１
0003124535.tif 000002
【実用新案登録請求の範囲】
【請求項１】
集音器を組み込み且つ身体に固定出来るベルトを設けたことを特徴とする心音、体音聴音器。
【請求項２】
前記聴音器は、複数の集音器を設けたことを特徴とする請求項１記載の心音、体音聴音器。
【考案の詳細な説明】
【技術分野】
【０００１】  この考案は、自分自身の心音、体音を聞く聴音器の形状に関する。
【背景技術】
【０００２】自分自身の心音、体音を聴くことは脳波がα波の状態となって精神が安定する。
従来の心音、体音を聴く聴音器の形状は、図２に示すように、１個の集音器と付属した聴音部が設けられた聴診器と呼ばれるものである。
【考案の開示】
【考案が解決しようとする課題】
【０００３】しかしながら、以上の技術によれば、集音器を手で皮膚に押さえつけなければならないため、精神安定を目的とする自分自身の心音、体音の長時間の聴音が困難であると同時に、集音器が一つしかないため、心音、体音を同時に聴音することも困難であった。
そこで、この考案は、自分自身の心音、体音を簡単に長時間聴音することの出来る聴音器を提供することを課題とする。
【課題を解決するための手段】
【０００４】  以上の課題を解決するために、第一考案は、集音器を組み込み且つ身体に固定出来るベルトを設けたことを特徴とする聴音器である。
また、第二考案は、複数の集音器を設けたことを特徴とする聴音器である。
【考案の効果】
【０００５】  第一考案によれば、集音器を組み込み且つ身体に固定出来るベルトを設けたので、集音器を手で皮膚に押さえつける必要がなく、全身の力を抜いたまま長時間の心音、体音の聴音が可能になる。
また第二考案によれば、聴音器に複数の集音器を設けたので、心音のみならず、体音をも同時に聴音できる。
【考案を実施するための最良の形態】
【０００６】  この考案の一実施形態を、図１に示す。
ベルト１の内側には、複数の集音器２が設けられている。
集音器２は聴音部３と中空のチューブ４でつながれている。【０００７】「実施形態の効果」
この実施形態によれば、マジックテープなどの結合構造を持ったベルト１を体に巻きつけることで集音器２が体に密着し、心音、体音をチューブ４を介して、集音部３に伝えることができる。
複数の集音器を設けているため、広い範囲の心音、体音を同時に聴くことが出来る。【０００８】「他の実施形態」
図１の実施形態では、集音器は４個であったが、他の実施形態では、集音器は何個設けたものでも良い。
【図面の簡単な説明】
【０００９】
【図１】この考案の一実施形態を示す斜視図である。
【図２】従来技術を示す斜視図である。
【符号の説明】
【００１０】１  固定用ベルト            ２  集音器
３  聴音部                  ４  チューブ
【図１】
0003124535.tif 000003
【図２】
0003124535.tif 000004
【手続補正書】
【提出日】平成18年5月25日(2006.5.25)
【手続補正１】
【補正対象書類名】明細書
【補正対象項目名】０００７
【補正方法】変更
【補正の内容】
【０００７】実施形態の効果」
この実施形態によれば、マジックテープ（登録商標）などの結合構造を持ったベルト１を体に巻きつけることで集音器２が体に密着し、心音、体音をチューブ４を介して、集音部３に伝えることができる。
複数の集音器を設けているため、広い範囲の心音、体音を同時に聴くことが出来る。
(57)【要約】      （修正有）【課題】大きな引張り強さを持ちながら、必要に応じて容易に切断することのできる粘着ラベル、及びその粘着ラベルを用いた包装体の連結構造物を提供する。【解決手段】大きな引張り強さを持ちながら、必要に応じて容易に切断することのできる粘着ラベルを用いる。また、大きな引張り強さを得るために短尺切込み線による破断部を備える。破断面方向に一列に配置し、破断開始の糸口としての短尺切込みにより、大きな引張り強さを持ちながら必要に応じて容易に切断することのできる粘着ラベルを使用することにより、消費者の各包装体の分離が容易になる。【選択図】図１
0003124539.tif 000002
【実用新案登録請求の範囲】
【請求項１】
連結に用いる粘着ラベルにおいて、表裏若しくはいずれか一方の粘着ラベルに複数条の短尺切込み線が一方向に配列されて成る破断開始部を備え、前記短尺切込み線がそれぞれ平行し且つその配列方向に対して傾斜していることを特徴とする粘着ラベル
【考案の詳細な説明】
【技術分野】
【０００１】  大きな引張り強さを持ちながら、必要に応じて容易に切断することのできる粘着ラベル、及びその粘着ラベルを用いた包装体の連結構造物に関する
【背景技術】
【０００２】  従来、商品の低価格販売を目的として、同種の物品を複数個をまとめて販売することが一般に広く行われている。その一例として数枚のスライスハムをプラスチックフイルムから成る包装材料で包装して個別販売が可能な包装体とし、その複数個を部分的に重なり合う状態に並べ、それらを販売価格などを記した粘着ラベルにより連結したものがある。【０００３】  そして、これを購入した消費者は、粘着ラベルを引き剥がして連結構造物を分離した後、各包装体の中から物品を個別に取り出すことができる。【０００４】  しかし、その種の連結構造物によれば、輸送中や販売前に不用意に分離することが無い様、粘着ラベルに使用の糊は強力な性質であり、これを購入した消費者にとっては、各包装体を分離すべく粘着ラベルを引き剥がすことは至難であった。【０００５】  そのような不都合を解消する為に、粘着ラベルにミシン目・Ｖ字カット・Ｉ字カットを設ける考えもある。【０００６】  しかしながら、ミシン目は図２のように短尺な切込み線Ｌが等間隔で一直線状に配列される状態であるので、包装体の輸送や陳列に際して粘着ラベルに図示矢印方向への引張力が作用すると、切込み線Ｌ、Ｌの間に残された僅かな接着部に引張応力が集中してミシン目が破断してしまう。
【考案の開示】
【考案が解決しようとする課題】
【０００７】  粘着ラベルを用いた包装体の連結構造物において、輸送中や販売前に不用意に分離することが無い様に強力な接着剤を使用しての粘着ラベルであり、これを購入した消費者にとっては各包装体を分離すべく、粘着ラベルを引き剥がすことは至難であった。【０００８】  大きな引張り強さを持ちながら、必要に応じて容易に切断することのできる粘着ラベルを用いることで解決した。【０００９】  大きな引張り強さを得るために図１に示す様な短尺切込み線による破断部を備えることで解決した。
【考案の効果】
【００１０】  図２に示すように破断面方向に一列に配置した考えより、図１に示すような破断開始の糸口としての短尺切込みにより、大きな引張り強さを持ちながら必要に応じて容易に切断することのできる粘着ラベルを使用することにより、消費者の各包装体の分離が容易となった。
【考案を実施するための最良の形態】
【００１１】  各包装体の連結構造物において、図１に示す破断部を備えた粘着ラベルを使用することで、連結保持に必要な大きな引張り強さを持ちながら、必要に応じて容易に切断できるものであり、製造メーカー・消費者共に利益がある。
【図面の簡単な説明】
【図１】本発明に係わる破断開始部を備えた粘着ラベルによる包装体の連結構造物を示した平面図
【図２】従来のミシン目を備えた粘着ラベルを示す部分平面図
【符号の説明】
１Ａ〜１Ｃ  包装体
２  物品
３  封止部
４  開封開始部
５  粘着ラベル
６  破断開始部
Ｌ  従来のミシン目
【図１】
0003124539.tif 000003
【図２】
0003124539.tif 000004
(57)【要約】      （修正有）【課題】携帯が容易であると共に、いつどこでも使える、便利な使い捨て携帯用指先歯ブラシを提供する。【解決手段】不織布又は柔らかくて薄い素材などからできた、指１本を包み込む形の袋状のもの１で、その先端に歯磨き剤を浸透させて歯磨き２ができるようにした。【選択図】図１
0003124553.tif 000002
【実用新案登録請求の範囲】
【請求項１】
不織布又は耐水性の柔らかくて薄い素材などからできた、指１本を包み込む形の袋状のもので、その袋状の指先の部分にあたる先端に、歯磨き剤を浸透させて、指先にはめて歯磨きをする使い捨て携帯用指先歯ブラシ。
【考案の詳細な説明】
【技術分野】
【０００１】従来、旅行あるいは出張の際に用いる携帯用歯ブラシは各種のものがあるが、歯ブラシと歯磨き粉が別々なので、かさばる入れ物を必要とする。また、折りたたみの歯ブラシもありますが、それだけを持ち歩く事ができなく、衛生的にもケースに入れて持ち運びされている。
【考案の開示】
【考案が解決するための課題】
【０００２】学校や勤務先、会食などの外出先に簡単に携帯できるようにする。特に、体の不自由な方やお年寄りの方に、いつでもどこでも使えるようにと、衛生的にも問題がないようにする。
【課題を解決するための手段】
【０００３】不織布又は耐水性の柔らかくて薄い素材などからできた、指１本を包み込む形の袋状のもので、その袋状の指先の部分にあたる先端に、歯磨き剤を浸透させて、指先にはめて歯磨きをする使い捨て携帯用指先歯ブラシ。
【考案の効果】
【０００４】この考案は、以上説明したように構成されているので、以下のような効果を奏する。病人やお年寄りの方が、場所を選ばずに、例えばベッドの上などで誰の力も借りずに一人で一日何回でも簡単な歯磨きをすることが可能になる。また、外出先で携帯し易く、場所を選ばず、すばやく簡単に誰でも歯磨きができる。
【考案を実施するための最良の形態】
【０００５】不織布又は耐水性の柔らくて薄い素材などからできた、指一本を包み込む形の形状のもので、その形状の指先の部分にあたる先端に、歯磨き剤を浸透させて、指先にはめて歯磨きをする使い捨て携帯用指先歯ブラシを一個ずつ包装することで、衛生面と携帯の便利性を高める。
【実施例】
【０００６】以下この考案の実施の形態を図面を参照して説明する。図１及び図２において、図１は不織布などで形成された円通形で先端から約４ｃｍまで歯磨き剤を浸透させた物である。図２は不織布などで形成された指サック型で、片面の先端から約４ｃｍまで歯磨き剤を浸透させたものである。
【図面の簡単な説明】
【０００７】
【図１】実施の形態１を示す携帯指先歯ブラシである。
【図２】実施の形態２を示す携帯指先歯ブラシの正面図である。
【図３】実施の形態２の側面図である。
【図４】実施の形態２の使用図である。
【符号の説明】
【０００８】１  不織布などで形成された携帯指先歯ブラシの本体である。
２  歯磨き剤を浸透させた部分である。
【図１】
0003124553.tif 000003
【図３】
0003124553.tif 000004
【図４】
0003124553.tif 000005
【手続補正書】
【提出日】平成18年6月12日(2006.6.12)
【手続補正１】
【補正対象書類名】図面
【補正対象項目名】全図
【補正方法】変更
【補正の内容】
【図１】
0003124553.tif 000006
【図２】
0003124553.tif 000007
【図３】
0003124553.tif 000008
【図４】
0003124553.tif 000009
(57)【要約】【課題】  近年の小学生の誘拐、殺人に対応する器具として防犯ブザーなどの必要性が高まってきている。防犯器具としては、防犯ブザー、防犯ホイッスルが提案、利用されているが、これらは単独で提供される場合がほとんどである。ホイッスルは有効であるが、いたずらを防止する必要があり、また、ブザーとホイッスルとが併せて提供できればより効果的と考えられる。【解決手段】  防犯ブザーの引き抜きコードにホイッスルを利用する。このことによって同時に２つの防犯器具を提供できるとともに、ホイッスルがブザー内部にしまいこまれることになるので、不要ないたずらを防止できる。【選択図】図１
0003124560.tif 000002
【実用新案登録請求の範囲】
【請求項１】
携帯用の防犯器具であって、ブザー部分とホイッスル部分とから構成される特徴を有し、かつ、ホイッスルがブザー内部に引き抜きコードとして格納されることによってブザーのスイッチの役割を持つホイッスルを抜き出した際にブザーが鳴り、かつ抜いたホイッスルがそのまま利用できるように構成された防犯ブザー。
【考案の詳細な説明】
【技術分野】
【０００１】  従来から痴漢防止用ブザーが存在していたが、近年幼児誘拐などが多発する傾向があり防犯が必要になっている。この考案により、より効果的な防犯ブザーを提供する。
【背景技術】
【０００２】  防犯ブザーはいろいろなタイプが開発されており、また、防犯ホイッスルも同様に開発販売されている。これらは通常個別の器具として販売されており、ある小学校では防犯ブザー、別の学校では防犯ホイッスルの貸与、あるいは各人の購入などの施策がとられている。これらの器具は従来は痴漢防止用の器具としての販売が主たる目的であり、従ってある程度の年齢の人が使用するということが前提であった。最近の小学生などの誘拐、殺人などの対処のためには低年齢の人が使用できるという構成が必要である。【０００３】  低年齢の人が使用できるということは、一つにはいたずらができないことが必要である。その点からは防犯ブザーはコードの引き抜きという作業により動作することからいたずら防止という機能は付与できないが、防犯ホイッスルは常時吹くことができるのでいたずらには格好の物となる。【０００４】  実用新案２００５−８４０によれば、この新案は防犯ブザーと防犯ホイッスルとを結合して利用するというものとなっており、コードの先端にホイッスルを付けて両方が使える形になっている。従って機能の拡張については配慮されていると考えていいが、ホイッスルが剥き出しになっている点から、いたずら防止の機能を有していないことになる。
【課題を解決する手段】
【０００５】  このような、いたずらをなるべく防止する構造として、引き抜きコード部分にホイッスルを利用する。すなわち引き抜きコードがホイッスルになっていればいたずら防止と本来のホイッスルの機能とを併せ持つものができる。
【０００６】  図１にこの考案になる構造体を示す。１の引き抜きコード自体が２の防犯ブザー本体に組み込まれるのは従来の考え方であるが、この図のようにコード自身がホイッスルであって防犯ブザー内部に組み込まれた形になる。
【０００７】  このように構成することによって、ホイッスルは防犯ブザーから引き抜かない限りホイッスルとしての役目を持つことができないし、ホイッスルでのいたずらを防止できることになる。
【０００８】  利用する防犯ブザーは既存のシステムを利用するとともに、ホイッスルについても従来のものを利用することになる。組み合わせの具体的構造は適宜実施すればよいが、ホイッスルの挿入によってブザーのスイッチがオフになり、抜き出しによってスイッチがオンになる構成となっている。
【考案の効果】
【０００９】  このような構成とすることによって、一つの器具で、ブザーとホイッスルの２つの機能を有することになるので、極端な場合には２つの内の一つでも有効に使用できれば防犯の効果を確実に実施できることになり、また、ホイッスル部分をブザー内部に組み込むことによって不要ないたずらによる使用が防止できることになる。
【実施例１】
【００１０】  本考案になる防犯ブザーが予定の通り使用可能であり、その機能を有することを実験によって確認できた。
【図面の簡単な説明】
【００１１】
【図１】本考案の実施形態を示す防犯ブザーの構成図
【符号の説明】
【００１２】  １    防犯ブザー
２    コードの役割を持つホイッスル
３    ブザーのスピーカー
４    取り付け紐
５    引き抜き用の紐
【図１】
0003124560.tif 000003
(57)【要約】      （修正有）【課題】家庭用ＡＣ電源の無い場所でも充電が可能な携帯情報端末用充電器を提供する。【解決手段】充電用ＡＣアダプターに二次電池３を内臓させ、携帯電話用のＤＣコネクター５とその他携帯情報端末用のＵＳＢポート４を備え、状況に応じて家庭用ＡＣ電源からＤＣコネクター５もしくはＵＳＢポート４への放電、内臓した二次電池３からＤＣコネクター５もしくはＵＳＢポート４への放電、家庭用ＡＣ電源から二次電池３への充電が選択することができることを特徴とする携帯情報端末用充電器。【選択図】図１
0003124554.tif 000002
【実用新案登録請求の範囲】
【請求項１】
携帯情報端末の内臓二次電池に対し、家庭用ＡＣ電源及び本機に内臓した二次電池３から充電する機能と、本機に内臓した二次電池３に対し、家庭用ＡＣ電源から繰り返し充電することが可能な機能と、携帯電話に接続可能なＤＣコネクター５及びＵＳＢポート４から放電する機能を備えた携帯情報端末用充電器。
【考案の詳細な説明】
【技術分野】
【０００１】
本考案は、携帯情報端末の充電器に関する。
【背景技術】
【０００２】
従来、携帯情報端末の充電は家庭用ＡＣ電源から携帯情報端末の付属品であるＡＣアダプターで行うか、もしくはコンピューターのＵＳＢポートから電源供給を受けて充電を行っていた。また外出時などの緊急対応用として一次電池を使用した携帯情報端末用の充電装置も使用されている。
【考案の開示】
【考案が解決しようとする課題】
【０００３】
ＡＣアダプターでは外出時に携帯情報端末が電池切れになった場合、すぐに充電することが困難である。一次電池を使用した充電器の場合には使用後には電池を捨て、新しい電池を購入する必要がある。また長期間外出する場合などは、その両方を持ち歩く必要があり不便である。
【課題を解決するための手段】
【０００４】
そこで本考案は、充電用ＡＣアダプターに二次電池３を内臓させ、携帯電話用のＤＣコネクター５とその他携帯情報端末用のＵＳＢポート４を備え、状況に応じて家庭用ＡＣ電源からＤＣコネクター５もしくはＵＳＢポート４への放電、内臓した二次電池３からＤＣコネクター５もしくはＵＳＢポート４への放電、家庭用ＡＣ電源から二充電池３への充電が選択することができることを特徴とした携帯情報端末用充電器である。
【考案の効果】
【０００５】
本考案の携帯情報端末用充電器は、家庭用ＡＣ電源のある場所では通常のＡＣアダプターとして使用でき、家庭用ＡＣ電源の無い場所でも携帯情報端末の充電が可能であり、内臓した二次電池３は家庭用ＡＣ電源があれば繰り返し充電することできる。
【考案を実施するための最良の形態】
【０００６】
本考案に係る携帯情報端末用充電器は、小型化を図り携帯することが便利なように、二次電池３にはリチウムイオン電池を使用し、ＡＣプラグ２は格納できることが望ましい。
【図面の簡単な説明】
【０００７】
【図１】携帯情報端末用充電器の外観図である。
【符号の説明】
【０００８】
１  外殻
２  ＡＣプラグ
３  二次充電池
４  ＵＳＢポート
５  ＤＣコネクター
【図１】
0003124554.tif 000003
【手続補正書】
【提出日】平成18年6月9日(2006.6.9)
【手続補正１】
【補正対象書類名】実用新案登録請求の範囲
【補正対象項目名】請求項１
【補正方法】変更
【補正の内容】
【請求項１】
本機に内蔵した二次電池３に家庭用ＡＣ電源から電気を供給するためのＡＣプラグ２と、携帯情報端末の内臓二次電池に対して放電するためのＤＣコネクター５及びＵＳＢポート４を有し、ＡＣプラグ２から二次電池３を介さずにＤＣコネクター５もしくはＵＳＢポート４へ放電、またはＡＣプラグ２から二次電池３へ充電を行う手段と、二次電池３からＤＣコネクター５もしくはＵＳＢポート４放電する手段を備えた携帯情報端末用充電器。
【手続補正書】
【提出日】平成18年6月9日(2006.6.9)
【手続補正１】
【補正対象書類名】明細書
【補正対象項目名】０００４
【補正方法】変更
【補正の内容】
【０００４】
そこで本考案は、充電用ＡＣアダプターに二次電池３を内蔵させ、携帯電話用のＤＣコネクター５とその他携帯情報端末用のＵＳＢポート４を備え、状況に応じて家庭用ＡＣ電源からＤＣコネクター５もしくはＵＳＢポート４への放電、内蔵した二次電池３からＤＣコネクター５もしくはＵＳＢポート４への放電、家庭用ＡＣ電源から二充電池３への充電が選択することができることを特徴とした携帯情報端末用充電器である。
【手続補正２】
【補正対象書類名】明細書
【補正対象項目名】０００５
【補正方法】変更
【補正の内容】
【０００５】
本考案の携帯情報端末用充電器は、家庭用ＡＣ電源のある場所では通常のＡＣアダプターとして使用でき、家庭用ＡＣ電源の無い場所でも携帯情報端末の充電が可能であり、内蔵した二次電池３は家庭用ＡＣ電源があれば繰り返し充電することできる。
(57)【要約】【課題】従来のボタンホールは被服に付いている同じボタンをくぐらせて使用していた。したがっていつも同じボタンのみの使用であるため被服の雰囲気はいつも同じであった。【解決手段】そこで本考案に係る被服のボタンが使える請求項１のボタンホールを使用すればボタンのみの変化でも被服の雰囲気が変えられる。特に高いファッション性を必要とするフォーマルな装いに、更にリバーシブルの被服に効果が大きい。日常の被服もボタンの変化でデザインまで変わる。ボタンもブローチのように使用すると、飾りボタンとしてブローチのように活躍する。また、背広のバッチホールの裏にバッチを待機させることができる。また、バック、暖簾においても雰囲気を変えるには本考案のボタンホールを使用すれば可能である。【選択図】図３
0003124559.tif 000002
【実用新案登録請求の範囲】
【請求項１】
ボタンホールのホールに沿って糸を張り両端を止め、この糸の中央付近に複数のボタンを結び付けたことを特徴とする複数のボタンを備えたボタンホール。
【請求項２】
請求項１に使用するボタンは弾力性のあるボタンであることを特徴とする複数のボタンを備えたボタンホール。
【考案の詳細な説明】
【技術分野】
【０００１】  本考案は、ボタンホールに関する。
【背景技術】
【０００２】  従来のボタンホールはいつも同じボタンをボタンホールにくぐらせて使用していた。
【考案の開示】
【考案が解決しようとする課題】
【０００３】  しかし、これではいつも同じボタンのみしか使用できない。
【課題を解決するための手段】
【０００４】  そこで、ボタンホールのホール沿って糸を張り両端を止めた。この糸の中央付近に複数のボタンを結び付け使用する時のためにボタンを待機させた。
【考案の効果】
【０００５】  よって、本考案のボタンホールによりボタンを付けたり、取り外したりすることなく、複数のボタンが使用できる。
【考案を実施するための最良の形態】
【０００６】  本考案に係るボタンホール図１のボタンホール１のホール２に沿って張った糸３がある。この糸３の中央付近に複数のボタンを結び付けている。
そして使用するボタンの大きさにより、ボタンホールは決まる。図４の普通のボタン４をボタンホールにくぐらせた場合図４が正面図となる。しかし、請求項２の弾力性のあるボタン５を利用してボタンホールをくぐらせた場合ボタンホールより大きめのボタンを使いボタンホールをくぐらせるためボタンホールの縫い目が図Ｂのように見えにくくなる。
【実施例】
【０００７】  フォーマルな装いの時は黒の被服に黒と金色のボタンを結び付けておく。
近年便利とされているリバーシブルの被服の場合、表裏の共の布のくるみボタンをつけ、時には裏布のボタンを使用したり、又、全く別のボタンを取り付けアクセントをつけることもできる。
日常の被服でも別のボタンを付け雰囲気を変える事ができる。
襟元にブローチのように飾りボタンとしても活躍できる。一個の使用だけでなくいくつも並べて使うこともできる。時に並べて使用すること方法として、一方は、木製のボタンで落ち着いた雰囲気にし、もう一方は、ダイヤモンド風のボタンで華やかにと、効果が大きい。【０００８】  一般的には被服に使用するものであるが、その他の利用方法もある。
背広の襟のボタンのボタンホール（バッチホール）の糸に、バッチを止めて裏に待機させておく。これは複数の使い方ではなく、バッチ一個であるが時と場合によっては便利な使用方法でもあるが。
又、バック、のれんなどもある。ボタンには、花、動物、アニメキャラクターの絵や形を使用するとよい。これらのボタンは一個で、使用してもよいが、いくつも並べ使うと、一変して、雰囲気や季節感を変えることができ、リバーシブルにすると更に使い勝手が広がる。
その他、利用価値は広い。
【図面の簡単な説明】
【０００９】
【図１】  本考案に係るボタンホールのホールに沿って糸を張った図である。
【図２】  図１の糸を張ったボタンホールの糸の中央付近に複数のボタンを結び付けた図である。
【図３】  図２の待機させているボタンのうち使用するボタンのみボタンホールをくぐらせた側面図である。
【図４】  図３でそれぞれボタンホールに使用するボタンをくぐらせた図である。図Ａは普通のボタンを使用した図であり、図Ｂは請求項２の弾力のあるボタンを使用した図である。
【図５】  バックに図１は花、図２は雪の結晶と、季節を変えた使用図である。
【図６】  背広のバッチホール（ボタンホール）の裏にバッチを待機させている図１であり、ホールにバッチをくぐらせた図が図２である。
【符号の説明】
【００１０】  １  ボタンホール
２  ホール
３  糸
４  普通のボタン
５  弾力性のあるボタン
６  布
７  バック
８  背広
９  バッチホール（ボタンホール）
１０  バッチ
【図１】
0003124559.tif 000003
【図２】
0003124559.tif 000004
【図３】
0003124559.tif 000005
【図４】
0003124559.tif 000006
【図５】
0003124559.tif 000007
【図６】
0003124559.tif 000008
【手続補正書】
【提出日】平成18年5月16日(2006.5.16)
【手続補正１】
【補正対象書類名】図面
【補正対象項目名】全図
【補正方法】変更
【補正の内容】
【図１】
0003124559.tif 000009
【図２】
0003124559.tif 000010
【図３】
0003124559.tif 000011
【図４】
0003124559.tif 000012
【図５】
0003124559.tif 000013
【図６】
0003124559.tif 000014
(57)【要約】【課題】手軽に消臭、芳香ができるように、めくればいつでも新しい消臭シートの効果が得られる消臭・芳香シートを提供する。【解決手段】消臭・芳香シート（１）に粘着剤（３）によって消臭・芳香シート（２）はり、一番上のシートの消臭効果がなくなり、はがせばいつでも二枚目、三枚目の新しい消臭効果が発揮される。いつでも手軽に新しい消臭効果が得られる。【選択図】図１
0003124524.tif 000002
【実用新案登録請求の範囲】
【請求項１】
消臭シートを複数枚重ね靴の中や服の脇に装着し消臭効果のなくなったシートをはがせば新しいシートによって新たに消臭効果が得られる。
【考案の詳細な説明】
【考案の詳細な説明】
【技術分野】
【０００１】  この考案は、靴の中や服の脇部分に入れて足や脇の臭いを消す機能を持つシートに関するものである。
【背景技術】
【０００２】  一枚の厚地のシートをつけていた。
【考案が解決しようとする課題】
【０００３】  これは次のような欠点があった。
一枚のシートでは消臭効果が薄れてしまいやすいことが多く臭いが充満しやすくなっていた。
本考案は、以上のような欠点を失くすためになされたものである。
【課題を解決するための手段】
【０００４】  消臭効果のあるシート（１）の上に同じシート（２）を最大１０枚重ね貼り付け、一番上のシートの消臭効果がなくなり、はがせばいつでも新しい消臭効果が発揮される。いつでも手軽に新しい消臭効果が得られる。
【考案を実施するための最良の形態】
【０００５】  以下、本考案の実施の形態について説明する。消臭シート（１）に粘着剤を塗布し同じ様にシート（２）及び粘着剤を最大１０枚貼り重ねる。
【考案の効果】
【０００６】  足や脇が臭いと感じた時いつでも手軽に新しい消臭効果が得られる。
【図面の簡単な説明】
【図１】  本考案の分解斜視図である。
【図２】  本考案の正面図である。
【符号の説明】
１  消臭シート（１）
２  消臭シート（２）
３  粘着剤（３）
【図１】
0003124524.tif 000003
【図２】
0003124524.tif 000004
【手続補正書】
【提出日】平成18年5月5日(2006.5.5)
【手続補正１】
【補正対象書類名】実用新案登録請求の範囲
【補正対象項目名】全文
【補正方法】変更
【補正の内容】
【実用新案登録請求の範囲】
【請求項１】
複数枚のシートを重ね取り外し可能という形状を有する足・脇消臭及び芳香シート
(57)【要約】      （修正有）【課題】降雨時に自分の存在やメッセージを示すことにより防犯、防災の危険を未然に回避しようトする傘を提供する。【解決手段】洋傘のテント部分と同大、同形のテントシートの上部に絵や文字を重複してあしらったプリントシートであって、このプリントシートの中央部リンク孔及び外周部に複数のリンクを設けたのテント重複装着シート。【選択図】図１
0003124523.tif 000002
【実用新案登録請求の範囲】
従来の傘のテント（屋根部分）に重複してその上に絵や文字をプリント及び貼付したシートを装着するものである
【考案の詳細な説明】
［考案の詳細な説明］
【０００１】［考案の属する技術分野］
この考案は従来の傘のテントの上に重複してシートを装着するものである
【０００２】［従来の技術］
従来の傘は雨よけとデザインのみであった
【考案が解決しようとする課題】
【０００３】この考案は装着シートに絵や文字をプリント及び貼付  装着することにより、まわりの人に対して自分の存在感やメッセージえを示すものである特に雨の日の夜等は見通しも悪く  反射プリントや蛍光塗料プリント又は貼付により自分の存在感を示し  交通事故や犯罪から身を守る又装着シートは簡単に装着  取り外しができる為シートを変えるだけで絵や文字  デザインを楽しむ事ができる。
【課題を解決するための手段】
【０００４】本来の傘に絵や文字をプリント又は貼付したシートを装着するものである
【０００５】［考案の実地の形態］
傘本体のテント（屋根）と同じ大きさのシートの中央と本体骨の各々先端部分に穴を開けリンクを打つ  シートを傘全体にはめ込み装着する（図１  ２）
【考案の効果】
【０００６】以上によりシートを装着する事により自分の存在感を示し特に夜間  交通事故や防犯  防災等に効果がある  シートを変える事により絵や文字  デザインを楽しむ事ができる
【符号の説明】
１  シート（防水布かビニール）
２  リンク
３  絵及び文字
【図１】
0003124523.tif 000003
【図２】
0003124523.tif 000004
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
洋傘のテント部分と同大、同形のテントシートの上部に絵や文字を重複してあしらったプリントシートであって、このプリントシートの中央部リンク孔及び外周部に複数のリンクを設けたことを特徴とする傘のテント重複装着シート。
【手続補正２】
【補正対象書類名】明細書
【補正対象項目名】全文
【補正方法】変更
【補正の内容】
【考案の詳細な説明】
【考案の詳細な説明】
【技術分野】
【０００１】この考案は、従来の傘のテント即ち、傘の屋根部分の上に絵や文字をプリント部材及びシートを装着するものである。
【技術の背景】
【０００２】従来の傘は、雨よけを主たる効果として、傘のテント即ち、傘の屋根部分には各種の美麗なデザインをあしらったものは存在した。
【考案の開示】
【考案が解決しようとする課題】
【０００３】この考案は、装着シートに絵や文字をプリント及び貼付装着することにより、周囲の人々に対して自分の存在やメッセージを示すことにより、特に降雨時の夜間には見通しも悪い中を傘をさすことは自動車の往来が頻繁なところでは特に、非常に危険なことさえある。従って、この考案は、降雨時に自分の存在やメッセージを示すことにより防犯、防災の危険を未然に回避しようトする傘を提供することである。
【課題を解決するための手段】
【０００４】この考案は、洋傘のテント部分と同大、同形のテントシートの上部に絵や文字を重複してあしらったプリントシートであって、このプリントシートの中央部リンク孔及び外周部に複数のリンクを設けたのテント重複装着シートとしたものである。
【考案の効果】
【０００５】この考案は、傘のテント部分の上部に絵や文字を重複してあしらったプリント部材及びシートを装着したものであるため、降雨時に自分の存在感を示すことにより、特に夜間降雨時に発生し易い交通事故や、各種の犯罪を効果的に回避することが出来るので、防犯、防災に顕著な効果がある。シートの絵や文字をを色々に変更して自ら楽しむことも出来る。
【考案を実施するための最良の形態】
【０００６】傘のテント部分の上部に絵や文字を重複してあしらったプリント部材、シートを装着した傘のテント重複装着シートとしたものである。【０００７】この考案の洋傘のテント重複装着シートは、図１に示したように、傘のテントとほぼ同大のシートであって、該シートの中央部には、石突きと称される傘の先端部を貫通する中央リンク孔２と、洋傘に通常８本程度ある親骨称されるリブの先端部の露先部を貫通し得る複数の露先部リンク孔２を形成してある。【０００８】上記のようにしてあるテント重複装着シートを洋傘の外側より被せて、洋傘の石突きと称される傘の先端部と、洋傘のリブの先端部の露先部をテント重複装着シートの中央リンク孔２及び複数の露先部リンク孔２に貫通することによって、本件テント重複装着シートを洋傘テントの外側に装着固定される。
【産業上の利用の可能性】
【０００９】この考案によれば、本件考案のデザインを異にする数種類のテント重複装着シートを用意しておけば使用者はそれらを順次に装着して楽しむこともできる。
【図面の簡単な説明】
【００１０】
【図１】テント重複装着シートの平面図である。
【図２】テント重複装着シートを洋傘に装着した場合の斜視図である。
【符号の説明】
【００１１】１．．．テント重複装着シート
２．．．中央リンク孔、複数の露先部リンク孔
３．．．絵及び文字
(57)【要約】【課題】  本考案は，畑の野菜栽培トンネル用プラスチックフィルムシートやネット等を安定して固定し，栽培を容易にしたものである。【解決手段】  野菜栽培用トンネルの両端に戸を設け，この戸を地面にしっかり固定してトンネルを安定させることで風や害虫の侵入などから作物を守ることが目的である。また，トンネル内の植え床への散水や電照栽培も可能である。【選択図】図６
0003124521.tif 000002
【実用新案登録請求の範囲】
【請求項１】
畑の野菜栽培用トンネルに関するもので，トンネルの両端に戸を設け，その戸に次のような部位を設ける。▲１▼戸を地面に固定する。▲２▼戸をトンネル用ポールと結合する。▲３▼戸に通気口（取替え可能な網戸または板戸）・通水孔・電線孔，散水孔等を設け，強風にも耐える物で，また，トンネルの直径の大きさによっては分割可能なものである。
【考案の詳細な説明】
【技術分野】
【０００１】  本考案は，畑のトンネル栽培用プラスチックフィルムシートやネット等の固定に使用するトンネル固定具に関するもので，さらに，栽培に必要な機能を持たせたものである。
【背景技術】
【０００２】  従来，畑でのトンネル栽培用プラスチックフィルムシートやネット等は，複数のトンネルポールにフィルムを張ってクリップで留め，トンネル状態のままかプラスチックフィルムシート等をまとめて杭に結びつけ側面は土壌で押さえるか，または，四方のプラスチックフィルムシート等を木片や土壌で固定したもので風雨に不安定であった。
【考案の開示】
【考案が解決しようとする課題】
【０００３】  しかし，これでは，トンネル自体が安定せず風雨に弱いため充分な目的を果たせないうえ，通風や散水の際には杭から結びを解かなければならず非常に不便であった。
【課題を解決するための手段】
【０００４】  そこで，プラスチックフィルムシートかネットを張ったトンネルの両端にトンネルの大きさに合った戸を設け，強風でも動かないようしっかり畑に固定する。その戸とトンネル用ポールをしっかりクリップ等で結合して安定させる。その戸には風通しが良いように取り外し可能な通気口（取り替え可能な網戸または板戸）を取り付ける。その他に植え床に散水ができるように通水のためのパイプやホースを通す小孔，電照栽培等が可能なように電線を通す小孔，トンネル上方から散水ができるようなパイプやホースを通す小孔を設ける。さらに，強風の時にはその戸をさらに強固に固定できるようにした物である。（図１）
【考案の効果】
【０００５】  よって，本考案のトンネルトットにより，トンネルをしっかり固定でき，強風によってトンネルが倒れ作物に被害を与えたりすることが少なく，また，作物の栽培に必要なトンネル内の通風や散水等が容易にできる。さらに，このトンネルトットは何度でも使用することが可能である。
【考案を実施するための最良の形態】
【０００６】  本考案に係るトンネルトットは，図１に示すように，トンネルを保持する半円形又は楕円形の板状のものである。先ず，この板に杭を打ち込むガイド２を設け，金属かプラスチックの棒状３のものをガイドに沿って地面に打ち込む。そして，戸の円周部に沿って４のように，トンネルポールと戸を結合する部位を数カ所設ける。
このトンネルとトンネルポールの結合部位は図２のようである。さらに，この戸には取り替え可能な通気網戸（または板戸）５，通水孔６，電線孔７，散水孔８（６，７，８はキャップ付）を設ける。現在使用されているトンネルポールは，メーカーによって規格が違ったり，また，同型でも少しずつサイズの違いがありそれらに対応できるよう，トンネルポールの大きさに合わせて多少移動ができるよう図５のようにする。このように融通性を持たせることで使用範囲を広くすることができる。素材は，戸の部分はプラスチックか鋼板で，また，杭は鉄棒が望ましい。
【図面の簡単な説明】
【０００７】
【図１】  本考案トンネルトットを野菜栽培用トンネルに取り付けた正面図である。これをトンネル両端に取り付ける。
【図２】  本考案トンネルトットの側面図である。
【図３】  本考案トンネルトット円周取り付け部とトンネルポールとの結合状態の側面からの断面図である。
【図４】  本考案トンネルトット円周取り付け部とトンネルポールとの結合状態を上方から見た図である。
【図５】  本考案トンネルトット円周部とトンネルポール結合部をトンネルポールの大きさに合わせて移動可能にした正面図である。
【図６】  本考案トンネルトットを使用する場合の立体図である。
【符号の説明】
【０００８】    １  トンネルトット
２  杭を打ち込むガイド
３  金属等の棒
４  トンネルトットとトンネルポールを結合した結合部
５  通気網戸または板戸（取り替え式）
６  通水孔
７  電線孔又は散水孔
８  散水孔又は電線孔
９  トンネルポール
１０  トンネル用フィルム
１１  結合部締め込みバネハサミ
１２  強風時の紐通し穴
１３  結合部４をトンネルポールの大きさに合わせた移動部のガイド
【図１】
0003124521.tif 000003
【図２】
0003124521.tif 000004
【図３】
0003124521.tif 000005
【図４】
0003124521.tif 000006
【図５】
0003124521.tif 000007
【図６】
0003124521.tif 000008
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
畑の野菜栽培用トンネルの両端に戸を設け，その戸には，
（１）  地面に固定する部分，
（２）  トンネル用ポールと結合部分，
（３）  通気口に板戸か付替え用網戸の部分，
（４）  通水孔・電線孔・散水孔の部分，
以上の部分からなるトンネルトットである。
(57)【要約】      （修正有）【課題】製菓用容器が飾り物としての利用価値が生まれ、更に中身の菓子を取り出すと、型抜き状態の菓子が取り出せる、その形を楽しむことも可能になる製菓用容器を提供する。【解決手段】成形可能な一枚の素材シートで底部と周壁部とからなる容器において、底部に凹凸をつけ立体的な模様を付し、その立体的な模様に容器の底部表面及び周壁部表面に彩色をして、美観を有する意匠を施すことにより、新たな付加価値を生み出す製菓用容器である。容器に、常温で固形化する菓子素材を加熱溶解した状態で流し込み、菓子材料を冷却後、樹脂フィルム溶着部表面に樹脂フイルムを重ね合わせ、加熱溶融して樹脂フィルム溶着部表面を覆い密閉できることを特徴とする。【選択図】図１
0003124525.tif 000002
【実用新案登録請求の範囲】
【請求項１】
成形可能な一枚の素材シートで底部と周壁部とからなる容器において、底部に凹凸をつけ立体的な模様を付し、その立体的な模様に該容器の底部表面及び周壁部表面に彩色をして、美観を有する意匠を施したことを特徴とする製菓用容器。
【請求項２】
請求項目１記載の容器に、常温で固形化する菓子素材を加熱溶解した状態で流し込み、菓子材料を冷却後、樹脂フィルム溶着部表面に樹脂フィルムを重ね合わせ、加熱溶融して樹脂フィルム溶着部表面を覆い密閉できることを特徴とする請求項１記載の製菓用容器。
【考案の詳細な説明】
【考案の詳細な説明】
【産業上の利用分野】
【０００１】  本考案は、常温で固形化する菓子素材を加熱溶解した状態で流し込み加工する分野において、様々な形と彩色表示の意匠を楽しむことの出来る製菓用容器に関する。
【背景技術】
【０００２】  従来の菓子用容器は型に流し込んだ菓子の形を楽しむ物は有るが、製菓用容器の概観の意匠と、菓子の形を同時に楽しむことの出来る製菓用容器はなかった。
【考案が解決しようとする課題】
【０００３】  従来の製菓用容器の多くは、中身の菓子の形状意匠に力点を置いて作れており、菓子を取り出した後は、その容器は廃棄されるのが一般的です。そこで本考案は、成形可能な一枚の素材シートで底部と周壁部とからなる容器において、底部に凹凸をつけ立体的な模様を付し、その立体的な模様に該容器の底部表面及び周壁部表面に彩色をして、美観を有する意匠を施したことにより、製菓用容器は飾り物としての利用価値が生まれ、更に中身の菓子を取り出すと、型抜き状態の菓子が取り出せることになり、その形を楽しむことも可能になります。
【課題を解決するための手段】
【０００４】  以下、本考案の課題を解決するための手段について説明する。尚、本考案の理解を容易にするために添付図面の参照符号を括弧書きにて付記するが、それにより本考案が図示の形状及び形態に限定されるものではない。まず請求項１の考案は、成形可能な一枚の素材シートで底部と周壁部とからなる容器において、底部に凹凸をつけ立体的な模様を付し、その立体的な模様に該容器の底部表面及び周壁部表面に彩色をして、美観を有する意匠を施すことにより、新たな付加価値を生み出す製菓用容器である。
【０００５】請求項目２の考案は、請求項目１記載の容器に、常温で固形化する菓子素材を加熱溶解した状態で流し込み、菓子材料を冷却後、樹脂フィルム溶着部表面に樹脂フィルムを重ね合わせ、加熱溶融して樹脂フィルム溶着部表面を覆い密閉できることを特徴とする請求項１記載の製菓用容器である。
【考案を実施するための最良の形態】
【０００６】  以下、本考案を添付図面に示す実施形態例に基づき、更に詳細に説明する。図１は本考案に係る製菓用容器の底部表面の斜視図、図２は本考案に係る製菓用容器の底部裏面の斜視図、図３は本考案に係る製菓用容器の樹脂フィルム溶着部表面の樹脂フィルムパックを示す斜視図である。【０００７】  製菓用容器の意匠を立体的に表現する底部表面（１）には凹凸で立体的にデザインを施す。製菓用容器の周壁部（２）は容器の容量計算により高さを決める。更に製菓用容器の意匠を立体的に表現する底部表面（１）及び製菓用容器の周壁部表面（２）には彩色する。製菓用容器の樹脂フィルム溶着部の裏面（３）は飾り物として使用する時のフレーム枠の押さえとしても機能するように工夫されている。【０００８】  加熱溶解した菓子素材の模様を立体的に表現する底部裏面（４）はメス型になっており、製菓用容器の意匠を立体的に表現する底部表面（１）と比較すると凹凸が正反対に構成されている。常温で固形化する菓子素材を加熱溶解した状態で流し込み、菓子材料を冷却後、製菓用容器の樹脂フィルム溶着部の表面（５）に製菓用容器の樹脂フィルム（６）を重ね合わせ熱溶着で接着密閉する。
【考案の効果】
【０００９】  以上、詳細に説明したように、成形可能な一枚の素材シートで底部と周壁部とからなる容器において、底部に凹凸をつけ立体的な模様を付し、その立体的な模様に該容器の底部表面及び周壁部表面に彩色をして、美観を有する意匠を施したことにより、外観の意匠を楽しむことができる製菓用容器になり、更に中身の菓子を取り出すと、型抜き状態の菓子が取り出せることになり、その形を楽しむことも可能になります。
【図面の簡単な説明】
【図１】  本考案に係る、製菓用容器の底部表面の斜視図
【図２】  本考案に係る、製菓用容器の底部裏面の斜視図
【図３】  本考案に係る、製菓用容器の樹脂フィルム溶着部表面の樹脂フィルムパックを示す斜視図
【符号の説明】
（１）製菓用容器の意匠を立体的に表現する底部表面
（２）製菓用容器の周壁部表面
（３）製菓用容器の樹脂フィルム溶着部の裏面
（４）加熱溶解した菓子素材の模様を立体的に表現する底部裏面
（５）製菓用容器の樹脂フィルム溶着部の表面
（６）製菓用容器の樹脂フィルム
【図１】
0003124525.tif 000003
【図２】
0003124525.tif 000004
【図３】
0003124525.tif 000005